(57)【特許請求の範囲】
【請求項１】
筐体と、該筐体内に収納される操作軸と、該操作軸の軸方向に移動するように前記筐体内に配設された可動端子と、該可動端子の上方に位置するように前記筐体内に配設された一対の固定端子と、前記可動端子を前記操作軸の軸方向に沿って上方に付勢するように前記筐体の底壁側に収納した第１コイルバネとを備え、
前記可動端子は平板状で、略中央部の基部とその両端部側に設けられた第１、第２接点部を有する第１、第２腕部とから成り、前記第１接点部が貴金属から成ると共に、前記第１接点部が設けられた前記第１腕部は、前記基部に対して折り曲げ部で下方に折り曲げて設けられ、一対の前記固定端子はそれぞれ固定接点部を有し、前記第１コイルバネによる前記可動端子の前記基部への付勢力によって、前記基部が前記固定接点部に対して傾斜し、前記折り曲げ部が前記操作軸の端部に最も近接して、各前記固定接点部に前記第１、第２接点部が弾接され、前記操作軸は軸方向に沿って下方に移動され、前記操作軸の端部を前記可動端子に当接し、前記第１コイルバネの付勢力に抗して、更に前記操作軸を押し下げることにより、前記可動端子の前記第１接点部が前記固定端子の前記固定接点部から前記第２接点部よりも先に離れように成し、前記操作軸を戻すことにより、前記第１コイルバネの付勢力で、前記可動端子の前記第１接点部が前記第２接点部より後に前記固定端子の前記固定接点部に接触するようにしたことを特徴とするスイッチ装置。
【請求項２】
前記可動端子の中央部には孔が形成されており、第２コイルバネを前記可動端子の前記孔を貫通すると共に、前記第１コイルバネの内側であって且つ前記第１コイルバネと同軸上に配設し、前記第２コイルバネが前記操作軸を前記操作軸の軸方向に沿って上方に付勢するようにしたことを特徴とする請求項１記載のスイッチ装置。
【請求項３】
前記筐体の前記底壁には、前記底壁から垂直に延設された支柱が設けられ、該支柱に前記第１、第２コイルバネを挿通すると共に、前記支柱の先端部に前記操作軸が軸方向に上下移動出来るように配設されたことを特徴とする請求項２記載のスイッチ装置。
【発明の詳細な説明】
【０００１】
【発明の属する技術分野】
本発明は、スイッチ装置に関し、特に、大電流を切り換えるプッシュプッシュ操作型のスイッチ装置に関する。
【０００２】
【従来の技術】
従来のスイッチ装置、特に、大電流を切り換えるプッシュプッシュ操作型のスイッチ装置は、大電流を切り換えることから可動・固定接点部が、各接点部の大電流の切り換え（オン・オフ）によるアーク放電によって変形・摩滅することが知られている。
このことから、可動・固定接点部は、この変形・摩滅を防止するために種々の構造が取られているが、何れも重構造（複雑な構造）に構成されたり、変形・摩滅を防止するための高価な接点材料を用いて構成されている。
また、このことから従来のスイッチ装置は、重構造である可動・固定接点部の機構が収納された筐体であることから、この筐体は大きな筐体に構成されている。
【０００３】
【発明が解決しようとする課題】
上述の如く、従来のスイッチ装置は、大電流を切り換えるスイッチ装置であることから可動、及び固定接点部の接点構造が重構造（複雑な構造）に構成されたり、各接点材料を大電流の切り換えに耐える高価な接点材料を用いた接点部材にて構成されたりすることが成されている。
このことから、可動、及び固定接点部を収納する筐体が大型化したり、高価な接点材料を用いた接点部材にて形成することからコスト高なスイッチ装置になるという問題があり、小型化され、安価なスイッチ装置を提供する。
【０００４】
本発明のスイッチ装置は、上述の問題を解決するもので、その目的は、小型化され、安価なスイッチ装置を提供することである。
【０００５】
本発明のスイッチ装置は、筐体と、筐体内に収納される操作軸と、操作軸の軸方向に移動するように筐体内に配設された可動端子と、可動端子の上方に位置するように筐体内に配設された一対の固定端子と、可動端子を操作軸の軸方向に沿って上方に付勢するように筐体の底壁側に収納した第１コイルバネとを備え、可動端子は平板状で、略中央部の基部と両端部側に設けられた第１、第２接点部を有する第１、第２腕部とから成り、第１接点部が貴金属から成ると共に、第１接点部が設けられた第１腕部は、基部に対して折り曲げ部で下方に折り曲げて設けられ、一対の固定端子はそれぞれ固定接点部を有し、第１コイルバネによる可動端子の基部への付勢力によって、基部が固定接点部に対して傾斜し、折り曲げ部が操作軸の端部に最も近接して、各固定接点部に第１、第２接点部が弾接され、操作軸は軸方向に沿って下方に移動され、操作軸の端部を可動端子に当接し、第１コイルバネの付勢力に抗して、更に操作軸を押し下げることにより、可動端子の第１接点部が固定端子の固定接点部から第２接点部よりも先に離れように成し、操作軸を戻すことにより、第１コイルバネの付勢力で、可動端子の第１接点部が第２接点部より後に固定端子の固定接点部に接触するようにしたことである。
かかる構成によって、貴金属にて形成された第１接点部が、固定接点部から先に離れ、後から接触することによって、片側の第１接点部のみに高価な材料を用いるのみで構成でき、安価で、大電流のスイッチ操作にても安定した長寿命化ができる。
【０００６】
また、かかる構成によって、可動端子を平板で構成し、折り曲げて形成したことから、構成が単純で安価に出来る。
【０００７】
また、本発明のスイッチ装置は、可動端子の中央部には孔が形成されており、第２コイルバネが可動端子の孔を貫通し、第２コイルバネが第１コイルバネの内側に第１コイルバネと同軸上に配設され、第２コイルバネが操作軸を操作軸の軸方向に沿って上方に付勢するようにしたことである。
かかる構成によって、第１コイルバネと第２コイルバネとを同軸上に配置し、操作軸を付勢する第２コイルバネを可動端子の孔を貫通して配置することで、スペースが有効に活用でき小型化できる。
【０００８】
また、本発明のスイッチ装置は、筐体の底壁には、底壁から垂直に延設された支柱が設けられ、支柱に第１、第２コイルバネを挿通すると共に、支柱の先端部に操作軸が軸方向に上下移動出来るように配設されたことである。
かかる構成によって、支柱によって、第１、第２コイルバネ、及び操作軸の位置決めが容易に出来る。
【００１０】
【発明の実施の形態】
以下、本発明のスイッチ装置の実施の形態について図面を用いて説明する。
図１は、本発明のスイッチ装置の実施の形態を示す分解斜視図、図２は、本発明のスイッチ装置の実施の形態を示す
である。
【００１１】
図１、図２に示すように、本発明のスイッチ装置は、上ケース１と下ケース２とから成る筐体３と、操作軸４と、一対の固定端子５と、可動端子６と、第１コイルバネ７と、第２コイルバネ８とによって概略構成されている。
【００１２】
上ケース１は、例えば、合成樹脂材料から成り、成形加工によって形成され、略箱形であって、略矩形の上壁１ａと、上壁１ａの四方の外周縁から垂直に延設された側壁１ｂ、１ｃと、上壁１ａの略中央部から外方に延設された矩形の筒部１ｄとを有している。
また、一方の対向する側壁１ｂ、１ｂには、側壁１ｂ、１ｂと平行に延設された係止片１ｅが設けられている。
【００１３】
また、他方の側壁１ｃの双方にはそれぞれ一対の孔１ｊが形成されており、また、一方側には、二組で４個のＬ字状の突起部１ｆと、略中央部に設けられた係止部１ｇとが形成されている。また、筒部１ｄの側面には長孔１ｈが形成されている。
【００１４】
下ケース２は、例えば、合成樹脂材料から成り、成形加工によって形成され、略箱形であって、底壁２ａと、底壁２ａの四方の外周縁から垂直に延設された側壁２ｂ、２ｃと、底壁２ａの略中央部から下ケース２の内方に突出された円柱状の支柱２ｄとを有している。また、この支柱２ｄの先端部は、側壁２ｂ、２ｃの開放端から外方に突出されている。
【００１５】
また、支柱２ｄの根元部には、支柱２ｄを囲むように円形の凸部２ｇが設けられている。
また、一方の対向する側壁２ｂ、２ｂには、側壁２ｂ、２ｂと平行に設けられ、側壁２ｂ、２ｂの開放端側に延設された舌片部２ｅ、２ｅと、舌片部２ｅ、２ｅから下ケース２の内方に突出した凸部としての係止部２ｆ、２ｆとが形成されている。
【００１６】
また、他方の対向する側壁２ｃには、それぞれ一対の凸部２ｈが形成されている。
この下ケース２は、上ケース１に下ケース２の一対の凸部２ｈを上ケース１の一対の孔１ｊに、スナップイン係合することによって、係合され、上ケース１と下ケース２とは一体化され、筐体３が形成される。
【００１７】
スライダーとしての操作軸４は、例えば、合成樹脂材料から成り、成形加工によって形成され、略箱形であって、矩形の基部４ａと、基部４ａの上面から外方に突出されたツマミ部４ｂとを有している。
また、基部４ａとツマミ部４ｂとの中心部に、所定の径の円筒状の第１穴４ｃと、第１穴４ｃよりも大径で、第１穴４ｃに連設された第２穴４ｄとが形成されている。また、基部４ａのひとつの側面にはいわゆるハートカムを構成するカム凹部４ｅが形成されている。
【００１８】
この操作軸４は、上ケース１の筒部１ｄ内に収納され、この状態のとき、ツマミ部４ｂは、筒部１ｄの上面から外方に突出されて配設されている。また、この状態のとき、操作軸４の第１穴４ｃ内に下ケース２の支柱２ｄが挿通・配置されている。
【００１９】
固定端子５は、例えば、銅やリン青銅や銅合金などの金属材料から成り、プレス加工によって形成され、全体がコ字状で、平板な固定接点部５ａと、固定接点部５ａから垂直方向に延設された一対の端子部５ｂ、５ｂとを有している。
この固定端子５は、下ケース２の底壁２ａに例えば、圧入などによって、固着されている。また、この固定端子５は、底壁２ａに一対（２個）配設され、固定端子５の一対の端子部５ｂ、５ｂの各先端部は、底壁２ａから外方に突出されている。この状態のとき、固定端子５の固定接点部５ａと底壁２ａとは平行に配設されている。
【００２０】
可動端子６は、例えば、銅やリン青銅や銅合金などの金属材料から成り、プレス加工によって形成され、平板状で、略中央部の基部６ａと、基部６ａの略中央部に設けられた孔６ｍと、基部６ａの外周縁の一部から外方に延設されて設けられた第１腕部６ｂと、第１腕部６ｂと対称となる位置で、基部６ａの外周縁の一部から外方に延設されて設けられた第２腕部６ｃとを有している。
【００２１】
また、第１腕部６ｂは、基部６ａに対して所定の第１の角度の第１傾斜部６ｄと、第２の角度の第２傾斜部６ｅとを有し、また、第２傾斜部６ｅの中央部には、円形の孔６ｆが設けられている。すなわち、基部６ａと第１傾斜部６ｄとの間には折り曲げ部６ｋが設けられ、第１腕部６ｂは、折り曲げ部６ｋで基部６ａに対して下方に折り曲げて設けられている。
そして、この前記孔６ｆには、例えば、金や銀や銀合金などの貴金属から成り、プレス加工によって形成されたチップ状の第１接点部６ｇが配設されている。この第１接点部６ｇは、孔６ｆに例えば、カシメ付けなどで固着され、一体化されている。
【００２２】
また、第２腕部６ｃは、基部６ａと同一平面上に形成され、その略中央部には、突き出し加工にて半球状に突き出された第２接点部６ｈが形成されている。
この可動端子６は、第１接点部６ｇが一対（２個）の固定端子５の内の一方の固定接点部５ａの内側に接触し、第２接点部６ｈが他方の固定接点部５ａの内側に接触するように配設されている。すなわち、この状態のとき、スイッチ装置は、オンされた構成である。
基部６ａと第２傾斜部６ｅの傾斜角度は、スイッチ装置がオンした状態で、第２傾斜部６ｅと固定端子５の端子部５ｂが略平行になる角度に設定されている。また、基部６ａの内周縁部には、突き出し加工された円環状の凸部６ｊが設けられている。
【００２３】
また、この状態のとき、可動端子６の円環状の基部６ａは、下ケース２の支柱２ｄに挿通されて配設されている。
また、さらに、この状態のとき、可動端子６の基部６ａ、及び第２腕部６ｃは、下ケース２の底壁２ａに対して所定の角度で傾斜されて配設され、第１腕部６ｂの第２傾斜部６ｅは、底壁２ａと略平行に配設されている。
【００２４】
第１コイルバネ７は、線状の金属材料から成り、巻線加工によって形成され、いわゆる螺旋状に設けられ、所定の直径を有している。この第１コイルバネ７は、下ケース２の底壁２ａ上に、支柱２ｄに挿通され、円形の凸部２ｇの周囲を囲み、凸部２ｇによって位置決めされて配設され、上端部は、可動端子６の基部６ａの裏面に設けられた円環状の凸部６ｊの周囲を囲み、凸部２ｇによって位置決めされて配設され、且つ、弾接されている。すなわち、第１コイルバネ７は、可動端子６の基部６ａの凸部６ｊと、下ケース２の円形の凸部２ｇとの間で位置決めされている。
【００２５】
このとき、可動端子６の第１接点部６ｇと第２接点部６ｈとは、第１コイルバネ７の弾発力によって、一対の固定端子５の各固定接点部５ａに弾接されている。この状態のとき、可動端子６の基部６ａは、各固定接点部５ａに対して傾斜を有して配設されている。この可動端子６の基部６ａの傾斜は、第１コイルバネ７の弾発力によって形成されている。
【００２６】
第２コイルバネ８は、線状の金属材料から成り、巻線加工によって形成され、いわゆる螺旋状に設けられ、前記第１コイルバネ７の外径（直径）寸法よりも小さな外径寸法に設けられている。この第２コイルバネ８は、下ケース２の底壁２ａ上に、下ケース２の支柱２ｄに挿通されて配設され、且つ、第１コイルバネ７内に第１コイルバネ７と同軸上に配設されている。この状態のとき、第２コイルバネ８は、支柱２ｄによって位置決めされている。
【００２７】
また、この状態のとき、第２コイルバネ８は、可動端子６の円環状の基部６ａ内を貫通して配設されている。
また、この第２コイルバネ８の上端部は、操作軸４の第２穴４ｄの上壁に弾接され、操作軸４を操作軸４の軸心方向に押し上げている。換言すれば、第２コイルバネ８は、下ケース２の底壁２ａと操作軸４の第２穴４ｄとの間に配設され、且つ、弾接されている。
【００２８】
ピン９は、例えば、銅やステンレスなどの線状の金属材料から成り、略コ字状に形成されている。このピン９は、一方の端部が上ケース１の長孔１ｈ内に挿通され、且つ、その先端部が操作軸４のカム凹部４ｅに係合している。また、他方の端部は、上ケース１の係止部１ｇ内にて係合されている。この状態にて、ピン９が操作軸４のカム凹部４ｅに係合していることで、操作軸４の軸心方向への上下移動に伴う、いわゆるハートカム動作をするように構成されている。
【００２９】
リーフスプリング１０は、例えば、ステンレスなどの弾性を有し、線状の金属材料から成り、略ロ字状に形成され、対向する一対の係止部１０ａ、１０ａと、弾接部１０ｂとを有している。このリーフスプリング１０は、上ケース１の二組で４個のＬ字状の突起部１ｆに一対の係止部１０ａ、１０ａと弾接部１０ｂの両端とがそれぞれ引っかけられて係止され、上ケース１の側壁１ｃに沿って配設されている。
【００３０】
この状態のとき、弾接部１０ｂの略中央部は、ピン９に弾接されている。このピン９への弾接部１０ｂの弾接によって、ピン９が側壁１ｃに沿って保持される。
【００３１】
次に、本発明のスイッチ装置の組立方法について説明する。
先ず、下ケース２の底壁２ａに第１コイルバネ７を下ケース２の円柱状の支柱２ｄが貫通するように載置する。次に、第１コイルバネ７の上端部に可動端子６を載置し、この可動端子６を第１コイルバネ７の弾発力に抗して下ケース２内に収納する。このとき、可動端子６の円環状の基部６ａには、支柱２ｄが貫通するように配設される。
【００３２】
そして、このとき、下ケース２の側壁２ｂ、２ｂの係止部（凸部）２ｆ、２ｆによって、可動端子６の第１腕部６ｂ、及び第２腕部６ｃの両先端部が係止され、可動端子６が下ケース２の外方に放出されないように構成されている。すなわち、可動端子６と第１コイルバネ７とは下ケース２内に仮止めされた状態で保持される。
【００３３】
次に、下ケース２の底壁２ａに可動端子６の上方から一対の固定端子５を圧入・固着し、この一対の固定端子５によって、下ケース２内に仮止めされた可動端子６は第１コイルバネ７の付勢力に抗して係止部（凸部）２ｆ、２ｆから係止が解除される。
また、下ケース２の円柱状の支柱２ｄに第２コイルバネ８を挿通する。このとき、第２コイルバネ８は円環状の基部６ａを貫通した状態で配設される。
次に、操作軸４の円筒状の第１穴４ｃに支柱２ｄを挿入する。このとき、第２コイルバネ８の端部は第２穴４ｄの上壁に弾接して配設される。
【００３４】
次に、上ケース１を下ケース２に覆い被せるように成し、上ケース１と下ケース２とをスナップイン結合にて一体化させる。これによって、筐体３が構成され、この筐体３内に操作軸４などが収納され、この状態のとき、上ケース１の筒部１ｄの上端部から操作軸４のツマミ部４ｂが外方に突出されて配設されている。
【００３５】
次に、ピン９を筐体３の外方から上ケース１の長孔１ｈ内に挿通し、操作軸４のハートカムを構成するカム凹部４ｅに係合させる。次に、リーフスプリング１０によって、ピン９を上ケース１に留め付けるようにする。
このようにして、スイッチ装置の組み立ては完了する。
このように、本発明のスイッチ装置は、筐体３と、筐体３内に収納される操作軸４と、操作軸４の軸方向に移動するように筐体３内に配設された可動端子６と、可動端子６の上方に位置するように筐体３内に配設された一対の固定端子５、５と、可動端子６を操作軸４の軸方向に沿って上方に付勢するように筐体３の底壁側に収納した第１コイルバネ７とを備え、筐体３が上ケース１と下ケース２とから成り、下ケース２は、対向する側壁２ｂ、２ｂを有し、該側壁２ｂ、２ｂの開放端側には対向する一対の凸部２ｆ、２ｆが形成され、一対の凸部２ｆ、２ｆにて可動端子６の両端部側を係止することにより、第１コイルバネ７によって付勢された可動端子６を下ケース２内に仮止めし、可動端子６の上方から固定端子５を下ケース２に取り付け、固定端子５を可動端子６に第１コイルバネ７の付勢力に抗して弾圧することにより、一対の凸部２ｆ、２ｆと可動端子６との係止を解除し、下ケース２の開放端側に上ケース１を被せ、操作軸４を軸方向に沿って下方に移動し、操作軸４の端部を可動端子６に当接し、第１コイルバネ７の付勢力に抗して、更に操作軸４を押し下げることにより、可動端子６を固定端子５から離間し、操作軸４を戻すことにより、第１コイルバネ７の付勢力で、可動端子６が固定端子５に接触するようにしてあるので、かかる構成によって、組立工程において、第１コイルバネ７と可動端子６とを下ケース２内に仮止めし、組立性の向上を計ることができるものとなっている。
【００３６】
次に、この本発明のスイッチ装置の動作について説明する。
図３は、本発明のスイッチ装置の第１動作を説明するための第１説明図、図４は、本発明のスイッチ装置の第２動作を説明するための第２説明図、図５は、本発明のスイッチ装置の第３動作を説明するための第３説明図である。
【００３７】
先ず、このスイッチ装置は、可動端子６の第１接点部６ｇ、及び第２接点部６ｈが、固定端子５の各固定接点部５ａに弾接されてオンの状態にある。
次に、この状態から、図３に示すように、スイッチ装置の操作軸４を矢印Ａ方向に例えば約２ｍｍ位移動（押圧）する。この矢印Ａ方向への移動は、第１コイルバネ７と第２コイルバネ８との弾発力に抗して成される。
【００３８】
この操作軸４の移動によって、操作軸４の基部４ａの下端面の一部が可動端子６の基部６ａと第１腕部６ｂの間の折り曲げ部６ｋに当接し、可動端子６の基部６ａを移動（押し下げ）し、この基部６ａの移動によって、可動端子６の貴金属から成る第１接点部６ｇが一方の固定端子５の固定接点部５ａから先に離間する。この第１接点部６ｇの固定接点部５ａからの離間によって、スイッチ装置は、オフの状態になる。
【００３９】
この固定接点部５ａからの第１接点部６ｇの離間は、このスイッチ装置に比較的大きな直流電流が流れていると、いわゆるアーク放電が生じるのだが、第１接点部６ｇが貴金属から成ることから、アーク放電による第１接点部６ｇの損傷は少ない。
【００４０】
次に、図４に示すように、スイッチ装置の操作軸４を更に矢印Ａ方向に例えば約３ｍｍ位移動（押圧）する。この矢印Ａ方向への移動は、第１コイルバネ７と第２コイルバネ８との弾発力に抗して成される。この合計約５ｍｍ（約２ｍｍ＋約３ｍｍ）の操作軸４の移動によって、可動端子６の基部６ａを更に移動（押し下げ）し、この基部６ａの更なる平行移動によって、可動端子６の第２接点部６ｈが他方の固定端子５の固定接点部５ａから離間する。この第２接点部６ｈの固定接点部５ａからの離間によって、スイッチ装置は、可動端子６が確実に一対の固定端子５から離間し、完全にオフの状態になる。
【００４１】
この状態のとき、可動端子６の基部６ａは、固定端子５の各固定接点部５ａに対して平行な位置に配設されている。
【００４２】
この固定接点部５ａからの第２接点部６ｈの離間は、すでにスイッチ装置がオフの状態での離間であることから、固定接点部５ａと第２接点部６ｈとの間でアークは生じない。
【００４３】
この後、操作軸４を操作する力を除くと、図５に示すように、スイッチ装置の操作軸４が矢印Ｂ方向に例えば約１．５ｍｍ位移動（復帰）する。この矢印Ｂ方向への移動は、第１コイルバネ７と第２コイルバネ８との自己復帰力によって成される。そして、この移動によって、ピン９（図１参照）の一端部がハートカムを構成するカム凹部４ｅ（図１参照）の所定の個所に係合されて、その約１．５ｍｍ位移動（復帰）の個所で操作軸４が留まるように配置される。
【００４４】
この状態のとき、可動端子６の第１接点部６ｇ、及び第２接点部６ｈは固定端子５の各固定接点部５ａから離間しており、このスイッチ装置はオフ状態で、この状態が、操作軸４への押圧力を解除しても維持される。いわゆる、プッシュロックの状態を保持する。
【００４５】
次に、図５の状態から、操作軸４に矢印Ａ方向の押圧力の加えると、第１コイルバネ７と第２コイルバネ８との弾発力に抗して、操作軸４と可動端子６とが約１．５ｍｍ位移動し、前述の図４に示すような初期の操作軸４の位置から約５ｍｍ位移動した状態になる。
次に、操作軸４への矢印Ａ方向への押圧力を解除すると、第１コイルバネ７と第２コイルバネ８との自己復帰力によって、初期状態まで戻るが、その途中、前述の図３に示すような操作軸４の初期位置から約２ｍｍ位移動した状態になる。
【００４６】
この状態のとき、固定接点部５ａに第２接点部６ｈが先に接触する。この接触では、第１接点部６ｇが固定接点部５ａから離間しており、スイッチ装置はオフ状態であることから、固定接点部５ａと第２接点部６ｈとの間でアーク放電は生じない。
次に、操作軸４は図３に示す状態から、矢印Ｂ方向に更に移動し、図２に示す初期の位置まで復帰する。このとき、固定接点部５ａに第１接点部６ｇが接触し、スイッチ装置はオン状態になる。
【００４７】
このオン状態になるとき、固定接点部５ａと第１接点部６ｇとの間で、いわゆるアーク放電が生じるのだが、第１接点部６ｇが貴金属から成ることから、アーク放電による第１接点部６ｇの損傷は少ないように形成されている。
【００４８】
【発明の効果】
以上のように、本発明のスイッチ装置は、操作軸の端部を可動端子に当接し、第１コイルバネの付勢力に抗して、更に操作軸を押し下げることにより、可動端子の貴金属にて形成された第１接点部が固定端子の固定接点部から第２接点部よりも先に離れように成し、操作軸を戻すことにより、第１コイルバネの付勢力で、可動端子の第１接点部が第２接点部より後に固定端子の固定接点部に接触するようにしたことによって、片側の第１接点部のみに高価な材料を用いるのみで構成でき、安価で、大電流のスイッチ操作にても安定した長寿命化ができるスイッチ装置を提供する。
【００４９】
また、本発明のスイッチ装置は、可動端子は平板状で、第１接点部が設けられた第１腕部は、基部に対して折り曲げ部で下方に折り曲げて設けられ、第１コイルバネの可動端子の基部への付勢力によって、基部が固定接点部に対して傾斜し、折り曲げ部が操作軸の端部に最も近接して、各固定接点部に第１、第２接点部が弾接されたことによって、可動端子を平板で構成し、折り曲げて形成したことから、構成が単純で安価に出来る。
【００５０】
また、本発明のスイッチ装置は、第２コイルバネが可動端子の孔を貫通し、第２コイルバネが第１コイルバネの内側に第１コイルバネと同軸上に配設され、第２コイルバネが操作軸を操作軸の軸方向に沿って上方に付勢するようにしたことによって、スペースが有効に活用でき小型化されたスイッチ装置を提供できる。
【００５１】
また、本発明のスイッチ装置は、筐体の底壁から垂直に延設された支柱が設けられ、支柱に第１、第２コイルバネを挿通すると共に、支柱の先端部に操作軸が軸方向に上下移動出来るように配設されたことによって、第１、第２コイルバネ、及び操作軸の位置決めが容易なスイッチ装置を提供できる。
【００５２】
また、本発明のスイッチ装置は、筐体が上ケースと下ケースとから成り、下ケースは、対向する側壁を有し、該側壁の開放端側には対向する一対の凸部が形成され、一対の凸部にて可動端子の両端部側を係止することにより、第１コイルバネによって付勢された可動端子を下ケース内に仮止めすることによって、組立性の向上を計る。
【図面の簡単な説明】
【図１】本発明のスイッチ装置の実施の形態を示す分解斜視図である。
【図２】本発明のスイッチ装置の実施の形態を示す断面図である。
【図３】本発明のスイッチ装置の第１動作を説明するための第１説明図である。
【図４】本発明のスイッチ装置の第２動作を説明するための第２説明図である。
【図５】本発明のスイッチ装置の第３動作を説明するための第３説明図である。
【符号の説明】
１    上ケース（筐体）
１ｂ、１ｃ  側壁
１ｄ  筒部
２    下ケース（筐体）
２ａ  底壁
２ｄ  支柱
２ｇ  凸部
２ｆ  係止部（凸部）
３    筐体
４    操作軸（スライダー）
４ａ  基部
４ｂ  ツマミ部
４ｃ  第１穴
５    固定端子
５ａ  固定接点部
６    可動端子
６ａ  基部
６ｂ  第１腕部
６ｃ  第２腕部
６ｇ  第１接点部
６ｈ  第２接点部
６ｋ  折り曲げ部
７    第１コイルバネ
８    第２コイルバネ
９    ピン
１０  リーフスプリング
【図１】
0003964132.tif 000002
【図２】
0003964132.tif 000003
【図３】
0003964132.tif 000004
【図４】
0003964132.tif 000005
【図５】
0003964132.tif 000006